(57)【要約】  本発明は、前面および裏面を有するベース体を含む装飾要素を開示する。少なくとも１つの宝石（４）が、ベースプレート（１）に配置される。さらに、宝石（４）を受け入れる貫通穴（２）が、各宝石（４）のためにベース本体に配置される。貫通開口または貫通穴（２）内に突出し、かつ宝石（４）を支持する少なくとも１つの保持要素（２１）が、ベース体の前面の方を向いた貫通穴（２）の端部に配置される。貫通穴（２）内の特定の位置に宝石（４）を保持する保持装置が、裏面において貫通開口または貫通穴（２）に配置される。さらに、本発明による装飾要素を製造する方法が開示される。
2017533783.tif 000002
【特許請求の範囲】
【請求項１】
前面および裏面を有するベース体を含み、少なくとも１つの宝石（４）は前記ベース体に配置される、装飾要素において、
−  各宝石（４）のための貫通開口、好ましくは貫通穴（２）は、前記ベース体に配置され、前記宝石（４）は、いかなる台座もなしに前記貫通穴（２）に受け入れられ、
−  前記貫通開口または貫通穴（２）内に突出する少なくとも１つの保持要素（２１）は、前記貫通開口、好ましくは前記貫通穴（２）の、前記ベース体の前記前面の方を向いた端部に配置され、前記宝石（４）は、前記保持要素（２１）に支持され、および
−  前記貫通開口または貫通穴（２）内の特定の位置に前記宝石（４）を保持する保持装置は、前記裏面において前記貫通開口または貫通穴（２）に配置されることを特徴とする装飾要素。
【請求項２】
前記保持装置は、
−  前記裏面において各貫通開口または貫通穴（２）を塞ぎ、かつ好ましくは前記貫通開口または貫通穴（２）内に配置される、各貫通開口または貫通穴（２）のための固定要素（３）を含むか、または
−  各宝石（４）がその貫通開口または貫通穴（２）内のその特定の位置に保持されるように、前記貫通開口または貫通穴の周辺で前記ベース体を覆うカバープレート（６）を含むか、または
−  各貫通開口または貫通穴（２）内の閉塞固定要素（３）と、前記固定要素（３）のすべてを覆うカバープレート（６）とを含むことを特徴とする、請求項１に記載の装飾要素。
【請求項３】
前記保持要素（２１）は、
−  少なくとも部分的に円周に沿った少なくとも１つのカラー（２１）であって、前記貫通穴（２）において、前記ベース体の前記裏面から前記貫通穴（２）と同軸に形成される止まり穴（２４）によって形成され、前記止まり穴（２４）は、前記貫通穴（２）の直径を超える直径を有する、少なくとも１つのカラー（２１）であり、かつ／または
−  張り出し、および／またはトング、および／またはピンであることを特徴とする、請求項１または２に記載の装飾要素。
【請求項４】
前記ベース体は、少なくとも１つの閉装置（５、５’）を含み、前記閉装置（５、５’）は、
−  好ましくは、ブラケット（５）、ノブ、ボールヘッド（５’）、および／またはスパイクからなる群からの閉装置であって、前記ブラケット（５）、ノブ、ボールヘッド（５’）、またはスパイクは、最も好ましくは、受け入れ穴（１４）を用いて前記ベース体に受け入れられるか、または前記ベース体に鍛造成形、もしくは鋳造成形、もしくはねじ留めされる、閉装置であり、かつ／または
−  小穴、溝、または凹部からなる群からの閉装置であることを特徴とする、請求項１〜３のいずれか一項に記載の装飾要素。
【請求項５】
少なくとも前記ベース体、好ましくは前記ベース体および前記閉装置（５、５’）は、特に、プラチナ、金、銀、または金属合金、とりわけステンレス鋼、または前記金属の組み合わせからなる群からの金属で構成され、前記ベース体および閉装置（５、５’）は、同一のまたは異なる金属からなり得ることを特徴とする、請求項４に記載の装飾要素。
【請求項６】
前記貫通開口または貫通穴（２）は、前記ベース体の前記裏面の方を向いた端部に凹部（２３）、好ましくは円筒形凹部（２３）を含むことを特徴とする、請求項１〜５のいずれか一項に記載の装飾要素。
【請求項７】
前記固定要素（３）は、
−  栓（３）、好ましくは前記裏面において前記貫通開口または貫通穴（２）を塞ぎ、かつ好ましくは前記貫通開口または貫通穴（２）の裏面端部と面一に終端する栓（３）であるか、または
−  前記貫通穴（２）の側面に支持されるクランプリングであるか、または
−  前記貫通穴（２）の前記裏面端部でねじ付き部分（３３）にねじ込まれるねじ付きピンまたはねじであり、
好ましくは、前記栓（２）は、
−  プラスチック材料、好ましくはエラストマーからなるか、もしくは
−  金属、好ましくは前記ベース体と同じ金属からなり、かつ／または
前記貫通開口または貫通穴（２）のネガ形状を有し、かつ／または
好ましくは、前記宝石（４）の裏面のネガ形状を写し取る前面凹部（３１）を有することを特徴とする、請求項２〜６のいずれか一項に記載の装飾要素。
【請求項８】
複数の宝石（４）が用意され、前記宝石は、好ましくは、
−  文字、数字、または記号の形態の特定のパターンで配置されるか、または
−  前記ベース体の全面もしくは一部の面にわたって配置され、前記ベース体の前記面が一部分においてのみ占有される場合、前記特定のパターンに対応する形態は、占有されないままとすることができ、且つ好ましくは高くされることを特徴とする、請求項１〜７のいずれか一項に記載の装飾要素。
【請求項９】
前記貫通開口または貫通穴（２）は、前記カバープレート（６）を用いて前記ベース体の前記裏面において閉鎖され、前記カバープレート（６）は、好ましくは、
−  前記ベース体の対応する裏面凹部（１１）に取り外し可能な方法または外れない方法で挿入され、かつ／または
−  少なくとも片側、好ましくは短辺（６２）に、係合要素、好ましくは出っ張り（６１）であって、前記ベース体の前記凹部（１１）に配置される相手側係合要素、好ましくは対応するスロット（１５）に係合され得る出っ張り（６１）を含み、かつ／または
−  １つまたは複数のヒンジを介して前記ベース体に関節式に連結されることを特徴とする、請求項１〜８のいずれか一項に記載の装飾要素。
【請求項１０】
前記宝石（４）は、
−  円形の基本断面を有し、および好ましくはブリリアントカットもしくはブリリアントカット形態を含み、かつ／または
−  ダイヤモンドであり、
−  長円形もしくは多角形の基本断面を有し、および結晶形態もしくはカット形態を含み、
−  水晶であるか、または
−  カットのある人工宝石であり、
−  カットを有するまたは有さない非ダイヤモンドの天然宝石であることを特徴とする、請求項１〜９のいずれか一項に記載の装飾要素。
【請求項１１】
前記宝石（１０）は留め具であり、
前記ベース体は、ベースプレート（１）、好ましくは、少なくとも１つの軸に沿って湾曲されるベースプレートであり、かつ／または
前記少なくとも１つの宝石（４）は、前記ベースプレート（１）に配置され、
前記閉要素（５、５’）は、前記ベースプレート（１）の前記裏面に配置されることを特徴とする、請求項１〜１０のいずれか一項に記載の装飾要素。
【請求項１２】
前記留め具（１０）は、ベルトバックル（１０）、ブッククラスプ、パースクラスプ、ジャケットクラスプ、シュークラスプ、バッグクラスプ、スーツケースクラスプ、ナップザッククラスプ、携帯電子端末装置のケース用クラスプ、クロッククラスプ、ズボン用クラスプ、ブレース用クラスプ、化粧バッグ用クラスプ、スーツバッグ用クラスプであることを特徴とする、請求項１１に記載の装飾要素。
【請求項１３】
−  前記ノブ、ボールヘッド（５’）、またはスパイクは、その長手軸に対して半径方向外側方向に延びるカラー（５１）を含み、
−  前記ノブ、ボールヘッド（５’）、またはスパイク用の前記受け入れ穴（１４）は、前記カラー（５１）が前記カバープレート（６）の縁部に重なるように配置されることを特徴とする、請求項１２に記載の装飾要素。
【請求項１４】
キーホルダ、リストバンド、ブレスレット、電子端末装置のケース、リング、ネックレス、カフボタン、マネークリップ、ヘアクリップ、ボタン、耳用装飾要素、ネックレスの一部、ペンダント、帽子および／もしくは手袋の装飾部分、首輪、馬術スポーツ、ゴルフ、テニスのスポーツアクセサリもしくは他のスポーツアクセサリの装飾部分、テンプルステム、またはタイピンであることを特徴とする、請求項１〜１３のいずれか一項に記載の装飾要素。
【請求項１５】
請求項１〜１４のいずれか一項に記載の特徴を有する装飾要素を製造する方法であって、以下のステップ：
ａ）ベース体ブランクを用意するステップと、
ｂ）前記ベース体ブランクに前記貫通穴（２）を形成するステップと、
ｃ）前記貫通開口または貫通穴（２）の、前記ベースプレートの前面の方を向いた前記端部に前記保持要素（２１）を配置または形成するステップと、
ｄ）前記宝石（４）を前記ベース体の前記裏面から前記貫通開口または貫通穴（２）に挿入し、かつ前記宝石（４）を前記保持要素（２１）に当接させるステップと、
ｅ）前記裏面において前記保持装置を前記貫通開口または貫通穴（２）に取り付け、かつ前記保持装置を用いて前記宝石（４）を前記貫通開口または貫通穴（２）に保持するステップと
を含む方法。
【請求項１６】
止まり開口または止まり穴（２４）を前記ベース体の前記裏面から前記貫通開口または貫通穴（２）と同軸に形成することを含み、前記止まり穴（２４）は、前記貫通穴（２）の前記直径を超える直径を有し、その結果として、前記カラー（２１）は、前記ベース体（２）の前記前面の方を向いた前記貫通穴（２）の前記端部で得られる、ステップｂ’）を実行することを含み、
ステップａ）、ｂ）は、鋳造法が使用される場合に同時に行われ、およびこれはステップｂ’）にも当てはまる、請求項１５に記載の製造方法。
【請求項１７】
ステップｅ）は、前記カバープレート（６）を前記ベース体の前記裏面凹部（１１）に挿入すること、および／または前記栓（３）を前記ベース体の前記裏面から前記貫通開口または貫通穴（２）に挿入することを含む、請求項１５または１６に記載の製造方法。
【請求項１８】
ステップａ）、ｂ）、および／またはｃ）の少なくとも１つに続いて、前記ベース体ブランクまたは前記ベース体にコーティング、好ましくはめっき、最も好ましくは銀めっき、金めっき、プラチナめっきを施すことを含むステップｇ）が行われ、および／または
ステップａ）、ｂ）、ｃ）、および／またはｇ）の１つの後に、ポリッシング、ラッピング、ブラシがけ、または任意の他の方法での表面研磨を含むベース体機械仕上げステップｇ’）が行われる、請求項１５〜１７のいずれか一項に記載の製造方法。
【発明の詳細な説明】
【技術分野】
【０００１】
下記に続く本発明は、装飾要素およびそれを製造する方法に関する。
【背景技術】
【０００２】
例えば、真正原石またはダイヤモンドイミテーションが含まれる、例えば、ベルトバックルの形態の宝石で装飾された装飾要素は周知である。多くの場合、ダイヤモンドイミテーションは、単に、ベルトバックル留め具の目に見える前面に接着され、一方、ダイヤモンドは、宝石製作から周知の台座にも取り付けられる。
【０００３】
しかし、接着された宝石は、接着剤の経年劣化のために外れることがあり、台座の製作は、時間およびコストの点で煩雑な精密機械作業である。
【発明の概要】
【発明が解決しようとする課題】
【０００４】
この結果、宝石が安全かつ外れない方法で保持される、宝石で装飾された装飾要素を構築するという目的が生じる。
【０００５】
この問題は、請求項１の特徴を有する装飾要素によって解決される。
【０００６】
さらに、上記の結果、宝石の安全な取付けを可能にする装飾要素を製造する方法を構築するという目的が生じ、前記取付けは、宝石が外れない方法で装飾要素に受け入れられるように設計される。
【０００７】
この問題は、請求項１５の特徴を有する、装飾要素を製造する方法によって解決される。
【課題を解決するための手段】
【０００８】
装置および方法の改良形態は、特定の従属請求項で明白になる。
【０００９】
第１の実施形態では、本発明による装飾要素は、前面および裏面を有するベース体を含み、各前面および裏面には、各宝石のための貫通開口が設けられる。ベース体を製造する方法によれば、この開口は、ドリルで穴あけすることができる、すなわち、貫通穴とすることができる。鋳造法が使用される場合、ドリルで穴あけする必要はなく、その代わりとして、開口は、鋳造プロセスにおいて事前に形成することができる。宝石は、台座なしに貫通開口または貫通穴に受け入れられる。したがって、貫通開口または貫通穴の直径または断面形状と宝石の直径とは、宝石を隙間なく挿入できるように互いに一致する。貫通開口または貫通穴内に突出し、宝石を支持する少なくとも１つの保持要素が、貫通穴の、ベース体の前面の方を向いた端部に設けられる。開口または穴が円筒形の場合、保持要素は、半径方向において開口または穴内に突出することができる。最後に、宝石を貫通穴内の特定の位置に保持する保持装置が裏面において貫通穴に配置される。ベース体に関連して、本明細書において「前面」とは、１つまたは複数の宝石を見せる装飾面を指し、したがって、「裏面」とは、装飾面から離れる方向を向いた面を指す。
【００１０】
本発明は、突出する保持要素と宝石自体の直径または断面との連係により、装飾面の方向に抜け落ちるのを枠係止（ｆｏｒｍ−ｌｏｃｋｉｎｇ）式に防止するという点で有利であり、裏面の方向の対応する相手側型枠閉じ具は、保持装置によって形成される。強制係止（ｆｏｒｃｅ−ｌｏｃｋｉｎｇ）取付けと接着結合とを必要としないことで、宝石の取付けが安全になり、宝石が光の屈折という観点から十分に引き立って見えるようになる。宝石が抜け落ちることはあり得ず、強い衝撃負荷などの場合でさえ抜け落ちることはあり得ない。これは、留め具で高価な真正宝石を使用することを可能にし、その理由は、設計原理により、どのような脱離も不可能だからである。
【００１１】
保持装置は、各貫通開口または貫通穴のそれぞれのための固定要素を含むことができ、前記固定要素は、裏面において貫通開口または貫通穴を塞ぎ、貫通開口または貫通穴に配置される。あるいは、保持装置は、すべての宝石がその貫通開口または貫通穴内のその特定の位置に保持されるように、貫通開口または貫通穴の周辺でベース体を覆うカバープレートを含むことができる。あるいは、保持装置は、各貫通開口または貫通穴内の閉塞固定要素と、さらにすべての固定要素を覆うカバープレートとによって形成することができる。
【００１２】
保持要素は、少なくとも部分的に円周に沿ったカラーもしくは複数のカラー部分品、および／または出っ張り、および／またはトング、および／またはピンとすることができる。「部分的に円周に沿った」という用語は、円周に沿って分散して設けられた複数の環状リング要素を意味すると解釈されるが、有利には、前記カラーは、より容易にかつ自動化された方法で、したがってよりコスト効率よく製造することができるため、完全なカラーが設けられる。有利には、円周カラーは、ベース体の裏面から貫通穴と同軸に形成された止まり穴によって形成され、前記止まり穴は、貫通穴の直径を超える直径を有する。出っ張り、トング、またはピンは、例えば、貫通穴の側面からベースプレートに半径方向に延びる補助穴に半径方向に挿入することができる。
【００１３】
なお、以下において、貫通開口または貫通穴は、他方で、宝石を受け入れる凹部を指すことができる。一方で、「穴」という用語は、製造タイプ、すなわちドリル穴と、それと共に形成された円筒形の凹部とを指す。ただし、一般に、凹部は、宝石が任意の円形ベース部を有さない場合に円筒形である必要はない。当業者は、凹部または開口の形状をどのように宝石の断面ベース部に合わせるかについて分かっている。
【００１４】
ベース体は、１つまたは複数の閉装置を含むことができるが、これらの閉装置は、装飾要素に応じて、互いに対で対応することができる。装飾要素がイヤリングの場合、閉装置はピンおよび対応する受け入れ穴を意味すると解釈することができる。閉装置は、ブラケット、ノブ、ボールヘッド、またはスパイクからなる群から選択することができ、ブラケット、ノブ、ボールヘッド、またはスパイクは、受け入れ穴を用いてベース体に受け入れられるか、またはベース体に鍛造成形、もしくは鋳造成形、もしくはねじ留めされるのが最も好ましい。閉装置はまた、小穴（ｅｙｅ）、溝、または凹部からなる群から選択することもできる。共にベース体に設けられる２つの閉装置は、それ自体で閉じ具を実現するために互いに係合することができ、また、ベース体は、例えば、ヒンジを用いて互いに連結することができる（イヤリングと同様に）複数の部分からなることができる。他の事例では、例えば、ベルトバックル留め具の場合、閉要素、例えば、ボールヘッドは、別の要素（ベルトの穴）と係合することができる。
【００１５】
少なくともベース体、好ましくはベース体および閉装置は、金属で作製することができる。本明細書では、金属は、特に、プラチナ、金、銀、一般的な貴金属、または金属合金、とりわけステンレス鋼、または前記金属の組み合わせである。組み合わせには、鋳造合金を含む合金、さらにはコーティングがある。
【００１６】
その点に関して、ベース体および閉装置は、同一のまたは異なる金属からなることができ、例えば、装飾要素の一部、例えば、ベルトバックル留め具におけるボールヘッドが激しく摩耗する場合、したがって、より頑強にしなければならない場合に異なる金属を選択することができる。
【００１７】
さらに、貫通開口または貫通穴は、ベースプレートの裏面の方を向いた端部に凹部、好ましくは円筒形の凹部を含むことができる。
【００１８】
固定要素は、裏面において貫通穴を塞ぎ、貫通穴の裏面端部と面一で終端することができる栓とすることができる。あるいは、貫通穴の側面に当接するクランプリングが提案される。クランプリングは、例えば、適切な寸法を有する金属性のスロット付きクランプリングまたはＯリングとすることができる。あるいは、固定要素は、貫通穴の後端でねじの切られた部分にねじ込まれるねじ付きピンまたはねじとすることができる。
【００１９】
栓は、貫通穴に接着することができる。しかし、栓は、栓に設けられたねじによってねじ留めされ、この場合、貫通穴は雌ねじを含むものとすることもできる。貫通穴が円筒形ではない場合、栓は、例えば、グラウトを詰めることで挿入することもできる。
【００２０】
代替案として、またはそれに加えて、栓は、その側面に沿って貫通穴のネガ形状を写し取ることができ、宝石の後面のネガ形状を写し取る前面凹部を有するのが好ましい。栓が貫通穴のネガ形状を有する場合、これは、その形状およびその外径が貫通穴の形状および内径に合致することを意味する。これはまた、栓が、寸法および形状が円筒形凹部のものと合致するカラーを後端に有することを含む。このカラーは裏面において貫通穴を封止し、封止効果を高めるために、栓の「カラー」は、例えば、円筒形凹部の深さよりも若干高く設計することができ、これにより、カバープレートが押圧された場合、カラーが変形および押圧される。
【００２１】
有利には、栓は、ベース体と同じ貴金属からなることができる。これは、栓およびベース体が、多部品要素または宝石のすべての部分と同じ成分を常に有する場合、金属標準を明記するために貴金属を打印することができるという点で有利である。
【００２２】
あるいは、栓は、プラスチック材料、例えば、エラストマーからなることもでき、圧入によって保持することができる。
【００２３】
さらなる実施形態によれば、複数の宝石がベース体によって担持され、前記複数の宝石はまた、例えば、文字、数字、または記号の形態の特定のパターンで配置されるものとすることができる。本明細書では、数字および文字からなる群を使用することも可能である。あるいは、宝石は、ベース体の全面または面の一部にわたって配置することができる。ベース体の面が部分的にのみ占有される場合、特定のパターンに対応する形態は、占有されないままとすることができる。したがって、後者の代替案は、実際上、文字または他の記号が設けられる部分を除いて、宝石を概ね全面に挿入することにより、逆の変形形態となり、その結果として、よりいっそう高品質の外観が得られる。このように、装飾要素は、有利には、例えば着用者のイニシャルが留め具内の宝石によって示されることで個別化することができる。代替案として、またはそれに加えて、宝石によって占有されない領域または宝石によって占有される領域のいずれかが浮彫り状に高くされるものとすることができる。
【００２４】
当然のことながら、挿入される宝石は、様々な大きさ／直径を有することもできる。
【００２５】
その点に関して、ベース体の対応する裏面凹部に取り外し可能な方法または外れない方法で保持装置のカバープレートを埋め込むことができる。
【００２６】
係合要素、好ましくは出っ張りをカバープレートの短辺に設けることができる。係合要素は、ベース体の凹部に設けられた相手側係合要素、好ましくは対応するスロットと係合され得、背面からベース体に接近することができる。係合要素が取り外し可能な方法で接近することを意図される場合、係合要素は、１つまたは複数のヒンジを介して係合可能な方法でベース体に関節式に連結され得る。当然のことながら、ばね要素、例えば、可撓性トングとして設計することもできる複数の係合要素を設けることも可能である。したがって、例えば、使用者または宝石細工人が色付き宝石を取り替えることが可能である。
【００２７】
宝石を保持するために、各穴ごとに別々に設けられた固定要素が挿入されない場合、カバープレートは、宝石全体に対する共通のホールディング要素として機能することもできる。
【００２８】
有利には、凹部の深さおよびカバープレートの厚さは互いに揃えられ、その結果として、カバープレートは、ベース体の裏面を越えて突出するのではなく、ベース体の裏面と面一で終端する。その点に関して、カバープレートの外形寸法および形状は、所定の遊び、例えば、１ミリメートルの数十分の一を差し引いた空洞の形状および寸法に合致する。ベース体の空洞および対応する凹部は、例えば、長方形形状を有することができ、コーナは丸みを付けられるのが好ましい。
【００２９】
宝石はダイヤモンドとし、円形の基礎断面を有し、例えば、ブリリアントカットを含むことができる。当然のことながら、他の非ダイヤモンド宝石、例えば、ルビー、サファイヤ、エメラルド、トパーズ、または孔雀石、トルコ石、および黒曜石などの他の鉱物を使用することもでき、これらの宝石は、カットして、または粗加工して挿入することができる。結晶の形態またはカットした形態の長円形または多角形の基礎断面を有する宝石を選択することも可能である。一般に、「原石」は、水晶とすることもできる。自然に存在しない宝石、例えば、カットした形態のダイヤモンドイミテーションまたは他の人工宝石を使用することもできる。
【００３０】
宝石の「基礎断面」とは、貫通穴の前面において保持要素（カラー）に当接するように設計された断面、すなわち、ブリリアントカットの場合、基本的に円錐形形状の宝石のより大きい断面を意味すると解釈される。
【００３１】
１つの変形形態では、装飾要素は留め具とすることができ、この場合、ベース体は、少なくとも１つの宝石がその中に設けられたベースプレートである。この場合、装飾要素または留め具は、ベースプレートの裏面に配置された閉要素を含む。
【００３２】
本発明による留め具は、特に、ベルトバックル、（例えば、バッグ用の）ストラップバックル、ブッククラスプ、パースクラスプ、ジャケットクラスプ、シュークラスプ、バッグクラスプ、スーツケースクラスプ、携帯電子端末装置のケース用クラスプ、クロッククラスプ、ズボン用クラスプ、化粧バッグ用クラスプ、スーツバッグ用クラスプ、ナップザックのクラスプ、またはブレース用クラスプとすることができる。バッグは、例えば、皮革、織物、および／または「混合形態」でできた、例えば、ハンドバッグ、旅行バッグ、ブリーフケース、アタッシュケースなどの任意の望ましいバッグを意味すると解釈することができる。携帯電子端末装置のケースは、スマートフォンケース、タブレットケース、またはラップトップケースとすることができる。化粧バッグは、スポンジバッグ、またはバニティーケースなどのすべての「派生物」を意味すると解釈することができる。ただし、本発明は、前述の留め具タイプに限定されず、他のタイプも含むのは明らかである。
【００３３】
ベース体について上記に説明したように、ベースプレートは、金属、例えば、プラチナ、金、銀などの貴金属、または鋼、より好ましくはステンレス鋼、または黄銅、または前述の金属の組み合わせからなるのが好ましい。組み合わせには、金めっきまたはプラチナめっきされた金属ベースプレートも含まれ、一般に、コーティングされた、より詳細には電気コーティングされた、またはＰＶＤ（物理蒸着）コーティングされた金属ベースプレートを使用することができる。
【００３４】
ただし、言及した材料は本発明を限定するものではなく、実際上、適切と思われる任意の材料でできたベース体またはベースプレートが想定できる。さらに当業者には、例えばリングまたはイヤリングなどに関する基本形状も周知である。
【００３５】
さらなる実施形態では、ベースプレートは、一軸または多軸で湾曲することができる。留め具がベルトバックルの場合、ベルトバックルは、有利には、着用者の体輪郭に密着するように湾曲する、すなわち、湾曲部は比較的大半径を有する。
【００３６】
本明細書で言及する例に加えて、本発明による留め具は、他の用途で使用することもできる。原則として、留め具とは、小可動部品を固定する役割を果たす、主に金属材料でできた機械式閉要素を意味すると解釈される。
【００３７】
閉要素は、ブラケット、ノブ、ボールヘッド、および／またはスパイクとすることができる。その点に関して、ノブ、ボールヘッド、またはスパイクは、ベースプレートの穴に受け入れることができる。ブラケットは、多くの場合、ベルト用の固定要素として使用され、ベルトは、前記ブラケットを通って輪になる。スパイク、ノブ、またはボールヘッドは、例えば、ベルトまたはストラップの穴に挿入されるように形成される。しかし、通常、ベルトバックルなどの留め具は、１つの固定要素だけでなく、２つの固定要素を含むことができ、そのため、前述の固定要素の任意の組み合わせ、例えば、ブラケットまたはボールヘッドを設けることができる。本明細書で言及する固定要素は単なる例であり、したがって、本発明による留め具は、本発明に不可欠な概念が守られる限り、他の固定要素を含むこともでき、これに関連して、例えば、締め付けブラケットを使用する強制係止取付けが想定可能である。
【００３８】
本発明のさらなる実施形態では、装飾要素は、キーホルダ、リストバンド、ブレスレット、電子端末装置のケース、リング、ネックレス、カフボタン、マネークリップ、ヘアクリップ、ボタン、イヤスタッドまたはイヤリングなどの耳用装飾要素、ネックレスの一部、ペンダント、帽子および／または手袋の装飾部分、（特に、ペット用の）首輪、馬術スポーツ、ゴルフ、テニスのスポーツアクセサリまたは他のスポーツアクセサリの装飾部分、例えば、鞍（例えば、馬の鞍）とすることができるが、技術的機能に加えて、装飾機能があるテンプルステムまたはタイピンとすることもできる。
【００３９】
この一覧は完全であると解釈すべきではなく、本発明による装飾要素は、本明細書で説明されず、本発明による宝石ホルダの原理を使用する他の物体または装飾部分を意味すると解釈することもできる。基本的に、本発明による宝石ホルダの原理は、ラグジュアリセグメントからのすべての装飾部分に適する。
【００４０】
装飾要素を製造する本発明による方法は、以下のステップ：
ａ）ベース体ブランクを用意するステップと、
ｂ）ベース体ブランクに貫通開口または貫通穴を形成するステップと、
ｃ）貫通開口または貫通穴の、ベースプレートの前面の方を向いた端部に保持要素を配置または形成するステップと、
ｄ）宝石をベース体の裏面から貫通開口または貫通穴に挿入し、かつ宝石を保持要素に当接させるステップと、
ｅ）裏面において保持装置を貫通開口または貫通穴に取り付け、かつ保持装置を用いて宝石（４）を保持するステップと
を含む。
【００４１】
鋳造法が使用される場合にステップａ）、ｂ）は同時に行われ、これは、止まり穴が貫通開口の直径を超える断面を有して形成されるようにするステップｂ’）にも適用される。このようにして、ベース体の前面の方を向いた貫通開口の端部にカラーが得られる。
【００４２】
鋳造法が使用されるとき、ツールが相応して設計される場合、ステップａ）、ｂ）、ｂ’）、さらには閉装置を設けることを同時に行うことができる。しかし、ベース体のみが作製され、かつ次いで機械加工され、および穴が連続して作製されると規定することもできる。その結果、宝石は、次いでステップｄ）でカラーに当接することになる。
【００４３】
したがって、ベース体ブランクは、望ましい任意の方法で粗く機械加工することができ、例えば、ベース体ブランクを鋳造しかつ／または粗く機械加工することができ、その結果として、完成させるために貫通開口および宝石を挿入しさえすればよい。保持要素を「配置する」および「形成する」代替ステップは、保持要素が、円周カラーであるか、または半径方向に突出するピンであるか、または同種のもののいずれかである実現可能な変形形態に該当し、例えば、ピンは、穴に形成できるのではなく、穴内に配置される。
【００４４】
本明細書では、言及される要素は、ホールディング要素、例えば、特に固定要素として挿入することができ、固定要素は、裏面において貫通穴を塞ぎ、貫通穴に挿入することができる。
【００４５】
保持要素が円周カラーである場合、ステップｂ’）は、ステップｂ）の後に行われて、止まり穴をベース体の裏面から貫通穴と同軸に形成し、前記止まり穴は、貫通穴の直径を超える直径を有し、その結果として、ベース体の前面の方を向いた貫通穴の端部にカラーが得られる。
【００４６】
これまで周知であった宝石、例えば、カットダイヤモンドを台座に嵌め込むタイプと異なり、本発明による方法は自動化に適し、例えば、カラーおよび凹部を含むドリルパターンをＣＮＣ制御式の金属切削機械によって作製することができる。手作業のステップは、宝石が挿入される場合にのみ必要とされる。これは、従来の製造方法と比較して作業量の削減を意味する。
【００４７】
さらなる実施形態によれば、ステップｅ）の後にステップｆ）が続くことができる、すなわち、カバープレートをベース体の裏面凹部に挿入し、それにより、貫通穴を閉鎖する。代替案として、またはそれに加えて、ステップｅ）は、栓をベース体の裏面から貫通穴に挿入することを含むことができる。
【００４８】
装飾要素が留め具の場合、ベースプレートを得るために、次に機械加工されるベースプレートブランクは、方法の一実施形態においてベース体ブランクとして使用される。
【００４９】
最後に、ステップｇ）は、ステップａ）、ｂ）、および／またはｃ）の少なくとも１つの後に行うことができ、前記ステップｇ）は、例えば、銀めっき、金めっき、プラチナめっきなどのめっきを施すなど、ベース体ブランクにコーティングを施すことを含む。ただし、ベース体ブランクまたは仕上がったベース体に電気蒸着されるのに適すると考えられる他の（貴）金属を使用することもできる。
【００５０】
さらに、少なくとも目に見える側で、ベース体の面を望ましい外観にするために、ステップａ）、ｂ）、および／またはｇ）のうちの１つの後に、機械仕上げステップｇ’）、例えば、ポリッシング、ラッピング、ブラシがけ、または他の任意の方法での面研磨を考慮に入れることができる。
【００５１】
これらのおよび他の利点が、添付図を参照して以下の説明で示される。説明において、図を参照することは、説明を補助し、物品の理解を容易にするのに役立つ。基本的に同一または同様である物品または物品の一部には、同じ参照番号を付けることができる。図は、本発明の例示的な実施形態の単なる概略図である。
【図面の簡単な説明】
【００５２】
【図１】ベルトバックルの形態の装飾要素の正面斜視図である。
【図２】ベルトバックルの平面図である。
【図３】ベルトバックルの長手方向断面図である。
【図４】ベルのバックルの長手方向断面図の詳細図である。
【図５】ベルトバックルの背面斜視図である。
【図６ａ−６ｂ】ベルトバックルの２つの分解図である。
【図７ａ−７ｃ】リングの様々な実施形態の断面図である。
【図８】イヤリングの平面図である。
【発明を実施するための形態】
【００５３】
図１〜図６ｂに示す装飾要素は、ベルトバックル１０である。
【００５４】
ベルトバックルの製造およびその構造の原理についての説明は、基本的に、本発明に従って設計された宝石を装着したすべての装飾要素に当てはまる。
【００５５】
したがって、言及される利点は、すべての装飾要素全部に当てはまる。
【００５６】
図１に斜視図で示す、本発明によるベルトバックル１０は、基本的に、ベースプレート１からなり、宝石４がペースプレートに挿入される。図示した実施形態では、宝石４は「Ｅ字」のパターンで配置されているが、他の実施形態では、宝石４は、通常、所望の任意のパターンで、特に、数字、番号、他の記号、およびそれらの組み合わせの形態で配置することができ、好ましい実施形態によれば、着用者のイニシャルが宝石を用いて写し取られるものとすることもでき、したがって、ベルトバックル１０を個別化する。
【００５７】
ベルトバックル１０のベースプレート１は、その横軸のまわりに若干湾曲しており、その結果として、ベルトバックル１０は、心地よく身体に着用することができ、支障をきたすように上着の一部の下から「はみ出す」ことはない。
【００５８】
図３は、図２に記入したＡ−Ａ線で切り取った平面断面図を示している。ベルトバックル１０は、その裏面に、ベルトバックルをベルトに結合する役割を果たす固定手段５、５’を設けられており、固定要素５、５’の一方は、ベルトの穴に貫入されるボールヘッド５’を有するピンであり、それに対して、他方のものは、ベルトを輪にするブラケット５であり、このおよび他の実施形態における固定要素５、５’の機能は当業者に周知である。
【００５９】
「Ｅ字」パターンで配置された複数の貫通穴２がベースプレート１に設けられている。宝石４は、裏面から貫通穴２に挿入される。宝石４の貫通穴２への取付けは、図３からの詳細図Ｚを示す図４に示されている。貫通穴２は、装飾側を向いた貫通穴の端部に、半径方向に穴２内に部分的に突出したカラー２１を有する。したがって、製造時、直径が小さい貫通穴２２が最初に形成され、次いで、直径が幾分大きい方の止まり穴２４が形成され、その結果、最終的に実際の貫通穴２にカラー２１が形成される。カラー２１は、宝石４がそれぞれカラー２１に支持されるのを保証するために設けられている。その点に関して、宝石４の直径は、貫通穴２の大直径よりも多少小さいのみであり、それにより、宝石４は枠係止式にカラー２１に保持され、そのため、宝石４が前方向に抜け落ちることはあり得ず、衝撃、振動などがかかった場合でさえ、前方に抜け落ちることはあり得ない。本発明によるベルトバックル１０では、宝石４は、装飾要素として前方から容易に認識することができ、十分に引き立って見え、ベースプレート１の裏面から挿入される。
【００６０】
従来の意味での台座は必要とされず、カラー２１は、その直径に対して目立たないほど小幅であるため、取付けは、全体的な印象に影響を及ぼさず、これは従来の台座を有する宝石と異なり、特に、常時若干「突き出た」接着式宝石とも異なる。図４の左側では、カバープレートは、ベースプレート１のスロット１５と、スロット１５に挿入されたカバープレート６の短辺にある出っ張り６１との協同によって保持されている。図４の右側では、カバープレート６は、固定要素、すなわち、カバープレート６の短辺でカバープレート６をわずかに越えて突出したカラー領域５１を有するボールヘッド５’によって保持されている。カラー５１は、ねじ５２によってカバープレート６に確実に押し付けることができる。例えば、一般的な開放型スパナと共に機能できるキー取付具５３は、ノブまたはボールヘッド５’が不意にねじ緩みするのを防止するように、ノブまたはボールヘッド５’を締め付けることができるようにするために設けられている。
【００６１】
上記のように、宝石４は、裏面から貫通穴２に挿入され、カラー２１に当てて支持され、宝石４が、所定の位置に安全に固定されるのを保証するために、栓３が、各宝石４ごとに後ろから貫通穴２に挿入される。その点に関して、栓３はそれぞれ、その前方前面に凹部３１を有し、前記凹部３１は、宝石４を適切な方法で凹部３１に受け入れることができるように設計されている。したがって、カットダイヤモンドの場合、栓の凹部は円錐形の形状を有する。カバープレート６の方を向いた裏面において、栓３はベースプレート１の面と面一で終端する。
【００６２】
穴２内での栓３の着座を改善するために、穴２はそれぞれ、裏面の方を向いた穴２の端部に円筒形の凹部２３を有し、前記円筒形の凹部２３の形状は、事実上、ネガ像として栓３からあてがわれる。これは、埃または液体などが裏面から宝石に達するのを防止するのを保証するために、封止を改善することを可能にする。
【００６３】
公知のタイプのベルトバックルへの宝石の取付けと異なり、本発明によるベルトバックル１０の構造は、宝石４が消失することをなくし、その理由は、宝石が後ろから挿入され、枠係止式に穴２に保持されるからである。確実な取付けにもかかわらず、外観はその点で影響を受けず、宝石４を枠係止式に保持するのに比較的小幅のカラー２１で十分であるため、枠型は、正面から見たときにほとんど注意を引かず、そのため、宝石４が十分に引き立って見える。
【００６４】
図５は、ベルトバックル１０の背面斜視図である。貫通穴２の周辺に配置された凹部１１がベースプレート１の裏面に設けられている。宝石が挿入された後、凹部１１は、凹部１１に面一で収まり、特に、裏面においてベースプレートを越えて突出しないある種のカバーであるカバープレート６で塞がれる。カバープレート６は、その短辺で、カバープレート６の縁部を部分的に越えて突出するボールヘッド５’のカラー５１によって抜け落ちるのを防止され、したがって、枠係止式にカバープレート６を保持する。
【００６５】
最後に、図６ａおよび図６ｂは、本発明によるベルトブラケットの２つの異なる分解斜視図であり、これは、組立てを容易に認識することを可能にする。ブラケット５は、ベースプレート１の受け入れ穴１３に挿入され、例えば、適切な方法ではんだ付けされて、所定の位置に固定される。カバープレート６が凹部１１に嵌め込まれた後、ノブまたはボールヘッド５’は、対応する受け入れ穴１４に挿入され、例えば、ねじまたはバヨネットキャッチなどによって受け入れ穴に固定することができる。
【００６６】
カバープレート６は、短辺６２に、ベースプレート１の凹部１１の短辺に配置されたスロット１５と枠係止式に係合するように設けられた突出出っ張り６１を含む。これは、取り付けるために、カバープレート６が若干傾けられながら凹部１１に入れられ、その結果として、張り出し６１とスロット１５とが係合することを意味し、その後、カバープレート６は、凹部に面一に挿入される。ボールヘッド５’のカラー領域５１は、カバープレート６の縁部に部分的に重なり、したがって、他方の短辺での枠係止取付けを可能にするように設計されているため、その後、ノブまたはボールヘッド５’は、単にそのねじ５２を用いてねじ付き穴１４にねじ込まれるのみである。
【００６７】
図７ａおよび図７ｂは、リングの形態の宝石の第１の変形形態を示している。貫通穴２は、リングのベース体に配置され、その点に関して、穴２４は、リングの内側から作製され（図示した例では、内側は裏面である）、前記穴２４はカラー２１を形成し、宝石４は、貫通穴２の外側を向いた端部でカラー２１に支持されている。栓３は、宝石を保持するために、内側から貫通穴２に挿入される。栓３は、強制係止式に貫通穴２に挿入されるか、またはねじ３３によって貫通穴２にねじ込まれるかのいずれかとすることができ、ねじ３３は、貫通穴２の内側を向いた端部部分に配置されている。ねじ込むために、この場合にねじ付きピンとすることができる栓は、工具取付具３２、例えば、六角穴を有することができる。栓は、単にグラウトで固定することもでき、これは、鋼などの金属が使用される場合でも行うことができる。
【００６８】
図７ｃに示すリングの変形形態では、栓３は、ねじ込まれるのではなく、むしろ強制係止式に貫通穴２に置かれるに過ぎない。さらに、内側リング７が設けられ、内側リング７は、栓３を固定するために、図示した例では事実上外側リングであるベース体に同軸に挿入される。当業者であれば、内側リング７と外側リングとをどのように結合するかを分かっている。外側リングの厚さが、宝石を（その高さに沿って）完全に収容するのに十分でない場合、一方で、貫通穴の位置に対応した「着座穴」が存在し、前記着座穴は、宝石の内側を向いた端部を受け入れる。しかし、これは図に示されていない。
【００６９】
図８は、複数の貫通穴２を有するイヤリングを示しており、各貫通穴２は、上記に説明した方法で宝石４を受け入れている。当然のことながら、本発明は、イヤリングまたはイヤスタッドなどの他の任意の形態、さらには説明で言及した他のすべての装飾要素を包含する。
【図１】
2017533783.tif 000003
【図２】
2017533783.tif 000004
【図３】
2017533783.tif 000005
【図４】
2017533783.tif 000006
【図５】
2017533783.tif 000007
【図６ａ】
2017533783.tif 000008
【図６ｂ】
2017533783.tif 000009
【図７ａ】
2017533783.tif 000010
【図７ｂ】
2017533783.tif 000011
【図７ｃ】
2017533783.tif 000012
【図８】
2017533783.tif 000013
【国際調査報告】
2017533783.tif 000014
2017533783.tif 000015
2017533783.tif 000016
2017533783.tif 000017